(57)【特許請求の範囲】
【請求項１】
集合住宅の各部屋に設けられた部屋機と、玄関に設けられた集合玄関機と、少なくとも部屋機と集合玄関機との間で相互に呼出信号及び通話信号の制御を行う通話制御装置とを少なくとも備えたインターホンシステムにおいて、
上記通話制御装置は、
時計機能を有するリアルタイムクロックと、
現在時刻等の表示を行う表示部と、
入力操作を行うスイッチ群と、
インターホンシステムに発生した各種のシステムエラーの内容をエラー発生時刻と共に記憶する履歴情報メモリと、
システムエラーの発生を判定し、システムエラーの発生がないときには上記表示部に上記リアルタイムクロックの時計機能に基づいて現在時刻を表示させ、システムエラーの発生があるときには発生したシステムエラーの内容とエラー発生時刻を上記履歴情報メモリに格納するように制御する制御部とを備え、
上記制御部は、システムエラーの発生があるときには上記表示部に現在時刻に代わってエラーの内容をエラー表示させ、上記履歴情報メモリに記憶された全てのシステムエラーの発生原因が解除されたときに、上記表示部のエラー表示を現在時刻の表示に復帰させることを特徴とするインターホンシステム。
【請求項２】
上記通話制御装置は、
特定の人が使用する専用暗証番号を設定する専用暗証番号設定用スイッチと、
上記専用暗証番号設定用スイッチによって設定された専用暗証番号と上記スイッチ群によって設定された専用暗証番号の開始時刻と終了時刻とを記憶する暗証番号メモリと、
を備え、
上記制御部は、上記表示部に上記リアルタイムクロックの時計機能に基づいて現在時刻を表示させているときに、上記スイッチ群による上記専用暗証番号の開始時刻と終了時刻の入力操作があるときには、上記表示部に現在時刻に代わって入力された上記専用暗証番号の開始時刻と終了時刻を表示させ、また、設定された上記専用暗証番号の開始時刻と終了時刻を上記暗証番号メモリに記憶させるように制御することを特徴とする請求項１記載のインターホンシステム。
【請求項３】
上記制御部は、上記表示部にエラー表示がされているときは、上記スイッチ群のエラー表示送り操作により上記表示部のエラー表示が上記履歴情報メモリに記憶されている履歴の順番に行われるように制御することを特徴とする請求項１または２のいずれかに記載のインターホンシステム。
【発明の詳細な説明】
【０００１】
【発明の属する技術分野】
本発明は、集合住宅に設けられた防災通報、通話制御を行うインターホンシステム、特に装置全体のシステムエラーと集合玄関機に入力される暗証番号に関するものである。
【０００２】
【従来の技術】
従来のインターホンシステムは、各部屋に設けられた部屋機と管理人室に設けられた管理用制御盤と玄関に設けられた集合玄関機との間で通話制御装置を介して相互に呼出や通話を行ったり、また部屋機と管理用制御盤との間で通話制御装置を介して防災信号や故障信号のやりとりをし、管理用制御盤に防災状態や故障状態を表示するように構成されていた。
【０００３】
【発明が解決しようとする課題】
しかしながら、従来のインターホンシステムは、通話制御盤装置に時計表示がないため、所定の時間に集合玄関機に暗証番号を入力しても玄関のオートドアを開けるよう設定することはできず、例えば新聞屋が集合住宅内に入ることができるようにするためには新聞屋にキーを持たせる必要があったり、トラブル等により装置のシステムエラーが生じたときにエラーの履歴をとることができなかったり、誤報の時刻を確認できないという問題があった。
【０００４】
本発明は上記の課題を解決するためになされたものであり、通話制御装置に時計機能を持たせ、通話制御装置に時刻表示とエラー表示を行うようにし、さらに特定人のために所定の時間に玄関のオートドアを開けるようにしたインターホンシステムを提供することを目的とする。
【０００５】
【課題を解決するための手段】
本発明の請求項１に係るインターホンシステムは、集合住宅の各部屋に設けられた部屋機と、玄関に設けられた集合玄関機と、少なくとも部屋機と集合玄関機との間で相互に呼出信号及び通話信号の制御を行う通話制御装置とを少なくとも備えたインターホンシステムにおいて、上記通話制御装置は、時計機能を有するリアルタイムクロックと、現在時刻等の表示を行う表示部と、入力操作を行うスイッチ群と、インターホンシステムに発生した各種のシステムエラーの内容をエラー発生時刻と共に記憶する履歴情報メモリと、システムエラーの発生を判定し、システムエラーの発生がないときには上記表示部に上記リアルタイムクロックの時計機能に基づいて現在時刻を表示させ、システムエラーの発生があるときには発生したシステムエラーの内容とエラー発生時刻を上記履歴情報メモリに格納するように制御する制御部とを備え、上記制御部は、システムエラーの発生があるときには上記表示部に現在時刻に代わってエラーの内容をエラー表示させ、上記履歴情報メモリに記憶された全てのシステムエラーの発生原因が解除されたときに、上記表示部のエラー表示を現在時刻の表示に復帰させるようにしたものである。
【０００６】
本発明の請求項２に係るインターホンシステムは、上記通話制御装置は、特定の人が使用する専用暗証番号を設定する専用暗証番号設定用スイッチと、上記専用暗証番号設定用スイッチによって設定された専用暗証番号と上記スイッチ群によって設定された専用暗証番号の開始時刻と終了時刻とを記憶する暗証番号メモリと、を備え、上記制御部は、上記表示部に上記リアルタイムクロックの時計機能に基づいて現在時刻を表示させているときに、上記スイッチ群による上記専用暗証番号の開始時刻と終了時刻の入力操作があるときには、上記表示部に現在時刻に代わって入力された上記専用暗証番号の開始時刻と終了時刻を表示させ、また、設定された上記専用暗証番号の開始時刻と終了時刻を上記暗証番号メモリに記憶させるように制御するようにしたものである。
【０００７】
本発明の請求項３に係るインターホンシステムは、上記制御部は、上記表示部にエラー表示がされているときは、上記スイッチ群のエラー表示送り操作により上記表示部のエラー表示が上記履歴情報メモリに記憶されている履歴の順番に行われるように制御するようにしたものである。
【０００９】
【発明の実施の形態】
図１は本発明の実施の形態１に係るインターホンシステムの通話制御装置の構成を示す回路図、図２は同インターホンシステムの系統図、図３は同防災システム装置の暗証番号及びシステムエラーのルーチンを示すフローチャート、図４は同インターホンシステムのスイッチ入力処理のルーチンを示すフローチャート、図５は同インターホンシステムのエラー処理のルーチンを示すフローチャートである。
【００１０】
ここで、本発明の特徴であるインターホンシステムの管理用制御盤の構成を示す図１の説明に先立って、インターホンシステムの全体のシステムを図２に基づいてまず説明する。
図２において、ＴＣは通話制御装置、ＶＣは映像制御装置、ＥＰ１〜ＥＰｋは、マンションなどの集合住宅の集合玄関に設けられたロビーインターホン（集合玄関機）、ＳＭ１、ＳＭ２は集合住宅の管理室に設けられた管理用制御盤、ＳＭＰは通話制御装置ＴＣと管理用制御盤ＳＭ１とを１つのケースに収容した管理人親機、Ｊ１〜Ｊｎは集合住宅の各部屋（住戸）に設けられたインターホン機能を備えた部屋機に更に防犯機能を備えた部屋機である。
また、Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
【００１１】
また、図２でＤＰ１〜ＤＰｎは各部屋の玄関の外に設けられ、その部屋の部屋機Ｊ１〜Ｊｎに接続されたドアホン、ＦＤ１〜ＦＤｎは監視線ＬＳ２１によって部屋機Ｊ１〜Ｊｎに接続された各部屋の火災感知器、ＧＤは監視線ＬＳ２２によって部屋機Ｊ１〜Ｊｎに接続された各部屋の台所に設けられたガスもれ検知器、ＣＢは監視線ＬＳ２３によって部屋機Ｊ１〜Ｊｎに接続された各部屋のバス、トイレに設けられたバス・トイレコールボタン、ＷＲは監視線ＬＳ２４によって住宅情報盤Ｊ１〜Ｊｎに接続された各部屋のバスに設けられた水もれセンサ、ＳＥは監視線ＬＳ２５によって部屋機Ｊ１〜Ｊｎに接続された各部屋の玄関や窓などに設けられた防犯センサである。ＵＤは火災感知器ＦＤ、ガス洩れ検知器ＧＤ、防犯センサＳＥ、水もれセンサＷＲ、バス・トイレコールボタンＣＢ等の異常検知器群である。
また、図２の部屋機Ｊ１〜Ｊｎにはメモリ内蔵のマイクロコンピュータ（以下、「マイコン」と称する）が備えられており、マイコンはメモリに格納されているプログラムにより各種の動作処理を行う。
【００１２】
通話制御装置の構成を示す図１において、１は主に部屋機Ｊ１〜Ｊｎ、管理用制御盤ＳＭ、集合玄関機ＥＰに対して呼出、通話及び異常処理制御を行う通話制御装置ＴＣの制御部の一例としてのマイクロコンピュータ（以下、「マイコン」と称す）である。２は共通暗証番号及び専用暗証番号と専用暗証番号の開始時刻、終了時刻と各種異常内容を記憶する暗証番号メモリともなるＥＥＲＯＭ、３は呼出、通話及び異常処理等の各種プログラムを記憶するＲＯＭ、４はワーキングエリアのＲＡＭ、５はインターホンシステムに発生したシステムエラーの各種内容を記憶する履歴情報メモリ、ＲＴＣは時刻表示、各種異常の履歴や新聞配達モードの時に用いられる時計機能を有するリアルタイムクロック、６は年月日時分表示の設定及び送り、エラー表示の送り等をするためのタクトスイッチ群で、６ａは調整するための時刻を設定するセレクトスイッチ、６ｂは設定された時刻をセットするセットスイッチ、６ｃは専用暗証番号における開始時刻と終了時刻を設定する暗証セットスイッチ、６ｄはエラー表示のシフト又は時刻表示をしている場合に年、月、日、時、分を確認のためシフトするシフトスイッチ、６ｅは表示部７に表示されている数字を１回の操作で１だけ減少させるデクリメントスイッチ、６ｆは表示部７に表示されている数字を１回の操作で１だけ増加させるインクリメントスイッチ、７は時刻又はエラーの表示を４桁で行う７セグメントのセグメント表示部である。
【００１３】
８は全部の住人が使える暗証番号を設定する共通暗証番号設定用ロータリスイッチ、９は例えば新聞屋等の特定人が使える暗証番号を設定する専用暗証番号設定用ロータリスイッチ、１０はマイコンと１と管理用制御盤ＳＭ、集合玄関器ＥＰ及び部屋機Ｊ１〜Ｊｎとの間での制御信号を送受信する送受信回路、１１は管理室制御盤ＳＭと集合玄関器ＥＰと部屋機Ｊ１〜Ｊｎとの相互間での通話音を送受信する第１通話回路、１２は管理用制御盤ＳＭと集合玄関器ＥＰと部屋機Ｊ１〜Ｊｎとの相互間での通話音信号を送受信する第２通話回路、１３は第１通話回路１１と第２通話回路１２の通話音信号を増幅する増幅回路、１４はマイコン１の切替信号に基づいて第１通話回路１１と第２通話回路１２との切替を行う切替回路である。
【００１４】
ここで、まずインターホンシステムの全体のシステムを図２に基づいて説明する。  このインターホンシステムは、部屋機Ｊ１〜Ｊｎと集合玄関機ＥＰ１，ＥＰ２との間、部屋機Ｊ１〜Ｊｎと管理用制御盤ＳＭ１、ＳＭ２との間でインターホン機能を有し、部屋機Ｊ１〜Ｊｎと管理用制御盤ＳＭ１、ＳＭ２との間で異常処理機能を有する。
そこで、まず主に利用される部屋機Ｊ１〜Ｊｎと集合玄関機ＥＰ１，ＥＰ２との間のインターホン機能の動作を説明する。
訪問者が例えば集合玄関機ＥＰ１の図示しないテンキーを操作して訪問すべき部屋番号例えば１０２を入力し、次に図示しない呼出スイッチを押すと、集合玄関機ＥＰ１から制御線Ｌ１１を介して通話制御装置ＴＣに部屋コードと呼出コードからなる呼出信号が送出される。通話制御装置ＴＣは集合玄関機ＥＰ１から呼出信号を受信すると、空いている通話線を調べ、第２通話線が使用中であれば、呼出信号と第１通話線Ｌ２２の通話線指定命令を制御線Ｌ１２を介して１０２号室の部屋機Ｊ２に送出する。
【００１５】
また、１０２号室の部屋機Ｊ２は、制御線Ｌ１２を通じ受信した呼出信号と第１通話線Ｌ２２の通話指定命令により、図示しない通話用の各接続スイッチを制御して第１通話線Ｌ２２を接続する。また、図示しないスピーカから呼出音を発し、図示しないロビー呼出灯を点灯する。
尚、以下、フックオンとは、ハンドセットを部屋機Ｊ２の盤面から取ることにより、図示しないフックを開放してフックスイッチをオンすることをいい、またフックオフとはハンドセットを部屋機Ｊ２の盤面に置くことにより図示しないフックを押下げてフックスイッチをオフすることをいう。
部屋機Ｊ２で図示しないハンドセットが取り上げられると、ハンドセットにより押下されていた部屋機Ｊ２の図示しないフックが開放され（フックオン）、部屋機Ｊ２から通話制御装置ＴＣに制御線Ｌ１２を介して図示しないフックオンオフ検出回路が検出したフックオン信号が送出される。通話制御装置ＴＣは部屋機Ｊ２からフックオン信号を受信すると、集合玄関機ＥＰ１に対し第１通話線Ｌ２１の通話線指定命令を送出し、この命令により集合玄関機ＥＰ１は図示しない通話用接続スイッチを制御して第１通話線Ｌ２１を接続する。これにより集合玄関機ＥＰ１と部屋機Ｊ２との間の通話路が形成され、訪問者と１０２号室の居住者との間で通話が行われる。
【００１６】
集合玄関に入館用の自動ドアがある場合には、部屋機Ｊ２の図示しない解錠スイッチを操作すると制御線Ｌ１２、Ｌ１１を介して集合玄関機ＥＰ１の電気錠に解錠信号が送られ、自動ドアが開放される。
また、通話が終了して部屋機Ｊ２のハンドセットＨＳを元に戻す（フックオフ）と、フックオンオフ検出回路が検出したフックオフ信号に基づき、部屋機Ｊ２から制御線Ｌ１２を介して通話終了信号が通話制御装置ＴＣに送られ、該通話制御装置ＴＣは制御線Ｌ１１に終了命令を送出する。
これにより、集合玄関機ＥＰ１は第１通話線Ｌ２１の図示しない接続スイッチを開放し、部屋機Ｊ２は第１通話線Ｌ２２の図示しない接続スイッチを開放する。この結果、第１通話線は解放される。
【００１７】
次に、部屋機Ｊ１〜Ｊｎと管理用制御盤ＳＭ１、ＳＭ２との間での異常処理機能の動作の概略を説明する。以下、部屋機Ｊ１〜Ｊｎのうちの１つをＪで示し、また管理用制御盤ＳＭ１、ＳＭ２のうちの１つをＳＭで示すものとする。
なお、ここで異常処理とは火災、ガスもれ、防犯等の防災処理と、バス・トイレ等のコールのコール処理、防災器断線、感知器断線、伝送異常等の故障処理をいう。異常処理を行う場合、各部屋の異常検知器群ＵＤが異常を検知したら、各部屋の部屋機Ｊが管理用制御盤ＳＭに緊急ポーリングの要求を出す。
その緊急ポーリングの要求を受けた管理用制御盤ＳＭは緊急ポーリングのデータを全部屋の部屋機Ｊに送る。
【００１８】
異常を検知した部屋の部屋機Ｊは緊急ポーリングのデータに続く所定のタイムスロットで応答することにより異常を検知したことを管理用制御盤ＳＭに通知する。
管理用制御盤ＳＭではそのタイムスロットから異常のうち、防災か、コールか、故障かを判別すると共に階グループを判別し、その階グループに対して例えば防災であれば防災の階ポーリングのデータを階グループに送出する。
その階グループの部屋で、その防災の異常がある部屋が３階であれば、その部屋の部屋機Ｊは３階であることを示すタイムスロットで応答することにより管理用制御盤ＳＭに送出する。
【００１９】
管理用制御盤ＳＭではそのタイムスロットから３階であることを判別し、その３階の室グループに対して室ポーリングのデータを送出する。そして、その室グループの各部屋の部屋機Ｊから返事がなければ、他の室グループに対して室ポーリングのデータを送出する。その他の室グループに室ポーリングをしたときに、例えば１０号室から号室を知らせるデータを受ければ、管理室の管理用制御盤ＳＭは１０号室を特定し、防災内容の情報を収集するためのセレクテングを行い、１０号室の部屋機Ｊから例えば火災の警報信号を受信し、火災と判別してその部屋番号と火災を表示する。
以上の説明は、防災の火災と判別した場合であるが、ガスもれ、水もれや防犯の場合も同様であり、防災以外のコールや故障も同様の手順で判別される。
【００２０】
次に、本実施の形態１の動作を図３〜図５のフローチャートを参照しながら説明する。
まず、通話制御装置ＴＣのマイコン１は盤内に設けられた共通暗証番号設定用ロータリスイッチ８と専用暗証番号設定用ロータリスイッチ９の入力を読み込む（ステップＳ１）。
次に、盤内に設けられたタクトスイッチ群６のスイッチ入力が有るか否かを判定し（ステップＳ２）する。そして、スイッチ入力が有る場合にはスイッチ入力処理を行い（ステップＳ３）、スイッチ入力が無い場合にはマイコン関係等のシステムエラーが発生しているか否かを判定する（ステップＳ４）。
【００２１】
そして、システムエラーが発生している場合にはエラー処理を行い（ステップＳ５）、システムエラーが発生していない場合には上述したように緊急ポーリングの要求を受けた管理用制御盤ＳＭがポーリング処理をしてある部屋機Ｊから警報信号を管理用制御盤ＳＭと共に通話制御装置ＴＣが受信したら（ステップＳ６）、その警報信号が火災、ガスもれ、水もれ又は防犯の防災を示す信号か否かを判別し（ステップＳ７）、それが防災を示す信号の場合には、防災処理に入る（ステップＳ８）。
また、その警報信号が防災を示す信号でない場合にはコールを示す信号か否かを判別し（ステップＳ９）、それがコールを示す信号の場合には、コール処理に入る（ステップＳ１０）。
さらに、その警報信号が防災を示す信号でなく、コールを示す信号でもない場合には、故障処理に入る（ステップＳ１１）。そして、これらの処理が終了したら、これらの処理の具体的内容を履歴情報メモリ５に格納し（ステップＳ１２）、ステップＳ１に戻る。
【００２２】
なお、上述の防災処理とはある部屋で火災、ガスもれ、水もれ又は防犯が発生した場合に、管理室制御盤ＳＭの表示部にその部屋番号を表示すると共にスピーカで火災、ガスもれ、水もれ又は防犯の警報音を鳴らし、必要に応じてその部屋が火災、ガスもれ、水もれ又は防犯であることを管理会社へ移報することをいう。
また、コール処理とはある部屋でバスコール又はトイレコールがあった場合に、管理用制御盤ＳＭの表示部にその部屋番号を表示すると共にスピーカでバスコール又はトイレコールの警報音を鳴らし、必要に応じてその部屋がバスコール又はトイレコールをしていることを管理会社へ移報することをいう。
さらに、故障処理とはある部屋で例えば部屋機の故障があった場合に、管理室制御盤ＳＭの表示部にその部屋番号を表示すると共にスピーカで水もれの警報音を鳴らし、必要に応じてその部屋が水もれであることを管理会社へ移報することをいう。なお、故障には部屋機の故障以外に、感知器断線、伝送線異常などがある。
【００２３】
以上はそれぞれ防災、コール、故障の各処理に入るまでを説明したが、次にスイッチ入力処理とエラー処理について具体的に説明する。
まず、スイッチ入力処理について説明する。
スイッチ入力処理に入ると、まずエラー処理がなされたが依然エラー表示が有るか否かが判定される（Ｓ３１）。そして、エラー表示がある場合には、タクトスイッチ群６のシフトスイッチ６ｄによる後続送りが有るか否かを判定し（Ｓ３２）、後続送りがあれば、そのエラー表示が最終の表示かどうかをみる（Ｓ３３）。そして、最終の表示であれば、エンド表示を行う（Ｓ３４）。
また、最終の表示でなければ、次のエラー表示を行う（Ｓ３５）。なお、エラー表示はセグメント表示部７で行われる。このエラー表示の内容としてはＥＥＰＲＯＭ異常、ＲＴＣ異常、ＲＡＭ異常、ＲＯＭ異常、管理用制御盤無応答・誤応答、集合玄関機無応答・誤応答、部屋機無応答・誤応答、管理用制御盤系統の断線・短絡、集合玄関機系統の断線・短絡、部屋機系統の断線・短絡等がある。
【００２４】
次に、エラー表示がない場合には、タクトスイッチ群６のセレクトスイッチ６ａが操作されて調整するための時刻設定の要求がされているかどうかを判定し（Ｓ３６）、時刻設定の要求がされている場合には、時刻設定が行われる。この時刻設定は次の手順で実施される。
まず、セグメント表示部７に表示されている現在時刻が消去され（Ｓ３７１）、次に、セレクトスイッチ６ａが１回操作されると、４桁のセグメント表示部７の左端に「１」が表示され、それから右に一つブランクを置いて例えば以前にセットされていた年代の「９８」が表示され、それが正しければセットスイッチ６ｂが操作されて年代の「９８」がセットされる（Ｓ３７２）。なお、年代の表示の数字を１だけ増加させるのはインクリメントスイッチ６ｆを１回操作することにより行われ、当該数字を１だけ減少させるのはデクリメントスイッチ６ｅを１回操作することにより行われる。
【００２５】
さらに、セレクトスイッチ６ａが２回目の操作がされると、４桁のセグメント表示部７の左端に「２」が表示され、それから右に一つブランクを置いて例えば以前にセットされていた月の「１１」が表示され、それが正しければセットスイッチ６ｂが操作されて月の「１１」がセットされる（Ｓ３７３）。その「１１」が正しくなく「１２」が正しいときはインクリメントげスイッチ６ｆが１回操作されて表示された数字を１だけ増加させる。
セレクトスイッチ６ａが３回目の操作がされると、４桁のセグメント表示部７の左端に「３」が表示され、それから右に一つブランクを置いて例えば以前にセットされていた日の「２５」が表示され、それが正しければセットスイッチ６ｂが操作されて日の「２５」がセットされる（Ｓ３７４）。その「２５」が正しくなく「２４」が正しいときはデクリメントスイッチ６ｅが１回操作されて表示されている数字を１だけ減少させる。
【００２６】
セレクトスイッチ６ａが４回目の操作がされると、４桁のセグメント表示部７の左端に「４」が表示され、それから右に一つブランクを置いて例えば以前にセットされていた時間の「０９」が表示され、それが正しければセットスイッチ６ｂが操作されて時間の「０９」がセットされる（Ｓ３７５）。その「０９」が正しくないときはデクリメントスイッチ６ｅ又はインクリメントイッチ６ｆが操作されて正しいように訂正される。
セレクトスイッチ６ａが５回目の操作がされると、４桁のセグメント表示部７の左端に「５」が表示され、それから右に一つブランクを置いて例えば以前にセットされていた分の「５７」が表示され、それが正しければセットスイッチ６ｂが操作されて分の「５７」がセットされる（Ｓ３７６）。その「５７」が正しくないときはデクリメントスイッチ６ｅ又はインクリメントスイッチ６ｆが操作されて正しいように訂正される。
その後、セレクトスイッチ６ａが操作されず所定時間経過すると、現在時刻の表示に戻る（Ｓ３７７）。
【００２７】
時刻設定がされていない場合には、専用暗証番号時刻設定の要求がされているかどうかを判定し（Ｓ３８）、専用暗証番号時刻設定の要求がされている場合には、専用暗証番号時時刻設定が行われる。この時刻設定は次の手順で実施される。
まず、セグメント表示部７に表示されている現在時刻が消去され（Ｓ３９１）、次に、暗証セットスイッチ６ｃが１回操作されていると、４桁のセグメント表示部７の左端に「１」が表示され、それから右に一つブランクを置いて例えば以前にセットされていた開始時間の「０５」が表示され、それが正しければセットスイッチ６ｂが操作されて開始時間の「０５」がセットされる（Ｓ３９２）。なお、開始時間の表示の数字を１だけ増加させるのはインクリメントスイッチ６ｆを１回操作することにより行われ、当該数字を１だけ減少させるのはデクリメントスイッチ６ｅを１回操作することにより行われる。
【００２８】
さらに、暗証セットスイッチ６ｃが２回目の操作がされると、４桁のセグメント表示部７の左端に「２」が表示され、それから右に一つブランクを置いて例えば以前にセットされていた開始分の「３０」が表示され、それが正しければセットスイッチ６ｂが操作されると、開始分の「３０」がセットされる（Ｓ３９３）。その「３０」が正しくなく「４０」が正しいときはインクリメントスイッチ６ｆが１０回操作されて表示されている数字を１０だけ増加させる。
さらに、暗証セットスイッチ６ｃが３回目の操作がされると、４桁のセグメント表示部７の左端に「３」が表示され、それから右に一つブランクを置いて例えば以前にセットされていた終了時間の「０６」が表示され、それが正しければセットスイッチ６ｃが操作されて終了時間の「０６」がセットされる（Ｓ３９４）。その「０６」が正しくなく「０７」が正しいときはインクリメントスイッチ６ｆが操作されて表示されている数字を１だけ増加させる。
【００２９】
暗証セットススイッチ６ｃが４回目の操作がされると、４桁のセグメント表示部７の左端に「４」が表示され、それから右に一つブランクを置いて例えば以前にセットされていた終了分の「３０」が表示され、それが正しければセットスイッチ６ｂが操作されて終了分の「３０」がセットされる（Ｓ３９５）。その「３０」が正しくないときはデクリメントスイッチ６ｅ又はインクリメントスイッチ６ｆが操作されて表示されている数字が正しいように訂正される。
こうして暗証番号終了時刻設定が行われ、その後、暗証セットススイッチ６ｃが操作されず所定時間経過すると、現在時刻の表示に戻る（Ｓ３９６）。
【００３０】
専用暗証番号時刻設定がされていない場合には、現在時刻が表示されているが、時刻確認設定の要求がされているかどうかを判定し（Ｓ４０）、時刻確認設定の要求がされている場合には、時刻確認設定が行われる。この時刻確認設定は次の手順で実施される。
まず、シフトスイッチ６ｄが１回操作されると、４桁のセグメント表示部７の左端に「１」が表示され、それから右に一つブランクを置いて例えば以前にセットされていた年代が表示され（Ｓ４１１）、さらにシフトスイッチ６ｄが２回目の操作がされると、４桁のセグメント表示部７の左端に「２」が表示され、それから右に一つブランクを置いて例えば以前にセットされていた月が表示され（Ｓ４１２）、シフトスイッチ６ｄが３回目の操作がされると、４桁のセグメント表示部７の左端に「３」が表示され、それから右に一つブランクを置いて例えば以前にセットされていた日が表示され（Ｓ４１３）、さらにシフトスイッチ６ｄが４回目の操作がされると、４桁のセグメント表示部７の左端に「４」が表示され、それから右に一つブランクを置いて例えば以前にセットされていた時分が表示され（Ｓ４１４）、その後、シフトスイッチ６ｄが操作されずを所定時間経過すると、現在時刻の表示に戻る（Ｓ４１５）。
【００３１】
次に、エラー処理について説明する。
スイッチ入力が無く、システムエラーが発生してエラー処理に入ると、まずエラーの発生が有るか否かを判定する（ステップＳ５１）。そして、エラーの発生が無い場合にはエラーなしかどうかを見（ステップＳ５２）、エラーなしであれば現在時刻の表示を行い（ステップＳ５３）、その後になんらかの要因でシステムエラーが生じれば次のエラーを表示する（ステップＳ５４）。
また、ステップＳ５１で、システムエラーの発生がある場合には既にエラー表示があるかどうかを見（ステップＳ５６）、既にエラー表示があれば履歴情報メモリ５にそのシステムエラーの内容とエラー発生時刻を格納する（ステップＳ５７）。
また、エラー表示がなければ、現在時刻の表示を消去し（ステップＳ５８）、エラー表示を行うと共に履歴情報メモリ５にその内容と発生時刻を格納する（ステップＳ５９）。
【００３２】
上述したように、通話制御装置ＴＣのマイコン１は盤内に設けられた共通暗証番号設定スイッチ８と専用暗証番号設定スイッチ９を読み込み、さらにタクトスイッチ群６にスイッチ入力が有るか否かを判定し、スイッチ入力が有る場合にはスイッチ入力処理を行い、スイッチ入力が無い場合にはマイコン関係等のシステムエラーが発生しているか否かを判定し、スイッチ入力が無い場合でエラーが発生していないときにはセグメント表示部７に現在時刻の表示をさせ、システムエラーが１つでも発生したときはセグメント表示部７にエラー表示させ、タクトスイッチ群６のシフトスイッチ６ｄを操作する毎にエラー表示が履歴の順番に行われ、最終エラーのときはエンドと表示され、さらにシフトスイッチ６ｄを押せば、元のエラーに戻り、エラー表示を見て、そのエラーの原因が解除されてエラーの原因がなくなり、全てのエラーがなくなると、現在時刻の表示に復帰する。
【００３３】
また、エラーが発生していないときで表示部に時刻表示をさせている場合に、タクトスイッチ群６のセレクトスイッチ６ａとセットスイッチ６ｂとインクリメントスイッチ、デクリメントスイッチ６ｆ、６ｅとにより調整のための時刻設定されたときは年代、月日、時刻の設定を行うことができ、またタクトスイッチ群６の暗証セットスイッチ６ｃとセットスイッチ６ｂとインクリメントスイッチ、デクリメントスイッチ６ｆ、６ｅとにより専用暗証番号時刻設定されたときは開始時刻と終了時刻の設定を行うことができ、さらにシステムエラーが発生していないときでセグメント表示部７に現在時刻の表示をさせている場合に、タクトスイッチ群６のシフトスイッチ６ｄを操作したときは年代、月日、時刻の確認を行うことができるように構成されている。なお、共通暗証番号設定用ロータリスイッチ８のスイッチ入力が読み込まれている場合には集合玄関機ＥＰに住人が設定された共通暗証番号を入力すれば、全時間玄関のオートドアが開くこととなる。従って、通話制御装置ＴＣに時計機能を持たせ、通話制御装置ＴＣに時刻表示とエラー表示を行うことが可能となり、さらに誤報の時刻を確認することができ、また例えば特定人である新聞屋に専用暗証番号時刻を設定した暗証番号を教えておくことにより、所定の時間に玄関のオートドアを開けることができることとなった。
また、上記実施の形態は集合用住宅のインターホンにつき説明したが、一戸建て住宅のインターホン装置においても同様である。
尚、上記実施の形態では管理用制御盤を管理室に設けた例を示したが、当該管理室以外に設けるようにしてもよい。
【００３４】
【発明の効果】
以上の説明から明らかなように、本発明のインターホンシステムによれば、集合住宅の各部屋に設けられた部屋機と、玄関に設けられた集合玄関機と、少なくとも部屋機と集合玄関機との間で相互に呼出信号及び通話信号の制御を行う通話制御装置とを少なくとも備えたインターホンシステムにおいて、上記通話制御装置は、時計機能を有するリアルタイムクロックと、現在時刻等の表示を行う表示部と、入力操作を行うスイッチ群と、インターホンシステムに発生した各種のシステムエラーの内容をエラー発生時刻と共に記憶する履歴情報メモリと、システムエラーの発生を判定し、システムエラーの発生がないときには上記表示部に上記リアルタイムクロックの時計機能に基づいて現在時刻を表示させ、システムエラーの発生があるときには発生したシステムエラーの内容とエラー発生時刻を上記履歴情報メモリに格納するように制御する制御部とを備え、上記制御部は、システムエラーの発生があるときには上記表示部に現在時刻に代わってエラーの内容をエラー表示させ、上記履歴情報メモリに記憶された全てのシステムエラーの発生原因が解除されたときに、上記表示部のエラー表示を現在時刻の表示に復帰させるようにしたので、１つの表示部で時刻表示とエラー表示を行うことができるという効果がある。
【図面の簡単な説明】
【図１】本発明の実施の形態１に係るインターホンシステムの通話制御装置の構成を示す回路図である。
【図２】同インターホンシステムの系統図である。
【図３】同インターホンシステムの暗証番号及びシステムエラーのルーチンを示すフローチャートである。
【図４】同インターホンシステムのスイッチ入力処理のルーチンを示すフローチャートである。
【図５】同インターホンシステムのエラー処理のルーチンを示すフローチャートである。
【符号の説明】
ＳＭ  管理用制御盤
Ｊ１〜Ｊｎ  部屋機
ＥＰ  集合玄関機
ＴＣ  通話制御装置
ＲＴＣ  リアルタイムクロック
１  マイコン
５  履歴情報メモリ
６  タクトスイッチ群
７  セグメント表示部
【図１】
0003661120.tif 000002
【図２】
0003661120.tif 000003
【図３】
0003661120.tif 000004
【図４】
0003661120.tif 000005
【図５】
0003661120.tif 000006